(57)【特許請求の範囲】
【請求項１】
自動販売機本体の前面に開閉可能に設けられた扉体のロック装置であって、
扉体側に設けられ、施錠・解錠操作を行う錠部材と、
扉体側に設けられ、前記錠部材の操作に連動して係脱動作するロック部材と、
自動販売機本体側に設けられ、前記ロック部材が係合することにより前記扉体を閉鎖状態に固定するロック係合部材と、
扉体側に設けられ、前記ロック部材の前記ロック係合部材との係合を解除する動作を規制する規制位置と該規制位置から退避する規制解除位置とに切り換え動作可能な規制部材と、
前記規制部材と前記錠部材とを連結するリンク機構であって、扉体側に設けられ、前記ロック部材とは独立して動作し、前記規制部材に係合して、前記錠部材の操作に連動して前記規制部材を前記規制位置と前記規制解除位置とに切り換え動作させるリンク部材と、扉体側に設けられ、前記錠部材と係合するとともに前記リンク部材と係合可能で、前記錠部材の操作により前記リンク部材と係合して該リンク部材を動作させ、扉体外側から加えられた力によって押し曲げられることにより、前記リンク部材との係合を解除して、前記規制部材を前記規制位置に維持させるリンク係合部材とからなるリンク機構を備えることを特徴とする自動販売機の扉体ロック装置。
【請求項２】
前記扉体の裏側に、前記錠部材を固定する錠カバーが設けられ、該錠カバーが、扉体外側から加えられた力によって前記リンク係合部材を押し曲げ、前記リンク部材との係合を解除するよう構成されていることを特徴とする請求項１に記載の自動販売機の扉体ロック装置。
【請求項３】
扉体側に設けられ、前記錠部材の操作で前記ロック部材に係合して該ロック部材を動作させる錠係合部材を備え、
前記該錠係合部材と前記リンク係合部材とが、自動販売機内部側から前記錠係合部材、前記リンク係合部材の順となる配置で設けられている請求項１または２に記載の自動販売機の扉体ロック装置。
【発明の詳細な説明】
【技術分野】
【０００１】
本発明は、自動販売機の扉体ロック装置、特に、扉体の錠部材あるいはその近傍に破壊行為が加えられる等の異常発生時の施錠を強化し、防盗性を高めた自動販売機の扉体ロック装置に関する。
【背景技術】
【０００２】
従来、自動販売機の扉体を施錠する扉体ロック装置として、錠部材の操作によりロックバーを動作させ、ロック爪に係合させる通常のロック装置に加えて、錠部材にリンクを介して連結され錠部材の操作によりロックバーを固定する補助ロック装置を設け、二重ロックで扉体の施錠を強化したものが考えられている（例えば、特許文献１参照。）。
【特許文献１】特開２００２−３０８４２号公報
【発明の開示】
【発明が解決しようとする課題】
【０００３】
しかしながら、上記従来の自動販売機の扉体ロック装置では、錠部材から離れた場所での破壊行為に対しては扉体の施錠を強化することができるが、錠部材に破壊行為が加えられ、錠部材の操作が可能になると、錠部材を操作されて２重ロックが同時に解除されてしまう恐れがある。これを防ぐために、ロック装置と補助ロック装置を別々に操作するような構成とすることも考えられるが、そうすると、構成が複雑となるとともに、施錠・解錠操作が煩雑になるといった問題が発生する。
【０００４】
本発明は、扉体の錠部材あるいはその近傍に破壊行為が加えられる等の異常発生時の施錠を強化して、防盗性を高めることができ、且つ、構成が複雑でなく、施錠・解錠操作が煩雑でない自動販売機の扉体ロック装置を提供することを目的とする。
【課題を解決するための手段】
【０００５】
本発明の自動販売機の扉体ロック装置は、自動販売機本体の前面に開閉可能に設けられた扉体のロック装置であって、扉体側に設けられ、施錠・解錠操作を行う錠部材と、扉体側に設けられ、錠部材の操作に連動して係脱動作するロック部材と、自動販売機本体側に設けられ、ロック部材が係合することにより扉体を閉鎖状態に固定するロック係合部材と、扉体側に設けられ、ロック部材のロック係合部材との係合を解除する動作を規制する規制位置と該規制位置から退避する規制解除位置とに切り換え動作可能な規制部材と、規制部材と錠部材とを連結するリンク機構であって、扉体側に設けられ、ロック部材とは独立して動作し、規制部材に係合して、錠部材の操作に連動して規制部材を規制位置と規制解除位置とに切り換え動作させるリンク部材と、扉体側に設けられ、錠部材と係合するとともにリンク部材と係合可能で、錠部材の操作によりリンク部材と係合してリンク部材を動作させ、扉体外側から加えられた力によって押し曲げられることにより、リンク部材との係合を解除して、規制部材を規制位置に維持させるリンク係合部材とからなるリンク機構を備えることを特徴とする。
【０００６】
この扉体ロック装置は、通常時には、錠部材の施錠操作に連動してロック部材がロック係合部材に係合する方向に動作し、ロック部材がロック係合部材に係合して、扉体を閉鎖状態に固定するとともに、規制部材が、錠部材の施錠操作に伴って、ロック部材がロック係合部材に係合する時にロック部材の動作を規制する規制位置に移動し、また、錠部材の解錠操作に連動して規制部材がロック部材の動作の規制を解除する規制解除位置に移動し、ロック部材がロック係合部材から離脱して、扉体の閉鎖状態での固定を解除する。そして、扉体の錠部材あるいはその近傍に破壊行為が加えられる等の異常発生時には、規制部材が規制位置に維持された状態で錠部材と規制部材との連動が解除される。そのため、錠部材が解錠操作されてもロック部材が動作せず、ロック係合部材との係合が維持され、扉体の錠部材あるいはその近傍に破壊行為が加えられる等の異常発生時の施錠を強化することができ、防盗性を高めることができる。しかも、そのための構成は複雑でなく、施錠・解錠操作も煩雑でない。
【０００７】
また、この扉体ロック装置は、扉体の裏側に、錠部材を固定する錠カバーが設けられ、該錠カバーが、扉体外側から加えられた力によってリンク係合部材を押し曲げ、リンク部材との係合を解除するよう構成するのがよい。
【０００８】
また、この扉体ロック装置は、扉体側に設けられ、錠部材の操作でロック部材に係合してロック部材を動作させる錠係合部材を備え、錠係合部材とリンク係合部材とが、自動販売機内部側から錠係合部材、リンク係合部材の順となる配置で設けられているのがよい。
【発明の効果】
【０００９】
以上のとおり、本発明の自動販売機の扉体ロック装置は、扉体の錠部材あるいはその近傍に破壊行為が加えられる等の異常発生時の施錠を強化し、防盗性を高めることができる。しかも、そのための構成は複雑でなく、施錠・解錠操作も煩雑でない。
【発明を実施するための最良の形態】
【００１０】
図１〜図７は、本発明の実施の形態の自動販売機の扉体ロック装置の構成を示している。図１は通常時の状態で示す錠周辺部の平面視断面図、図２は異常発生時の状態で示す錠周辺部の平面視断面図、図３はロックバー及びリンク板周辺の構成を施錠時の状態で自動販売機の左側面視にて示す部分拡大図、図４はロックバー及びリンク板周辺の構成を解錠時の状態で自動販売機の左側面視にて示す部分拡大図、図５はロックバー及びリンク板周辺の構成を異常発生時の状態で自動販売機の左側面視にて示す部分拡大図、図６はロック係合部分の構成を解錠時の状態で自動販売機の右側面視にて示す部分拡大図、図７はロック係合部分の構成を施錠時の状態で自動販売機の右側面視にて示す部分拡大図である。
【００１１】
この実施の形態の自動販売機は、開放された自動販売機本体（図示せず）の前面に正面視にて左側（図１および図２の右側）の側端部で支持されて正面視にて右側（図１および図２の左側）から開閉可能に扉体１が設けられ、その扉体１の開放側（図１および図２の左側）の端部で高さ方向の中央部に、施錠操作及び解錠操作が可能な錠部材である錠２が設けられている。
【００１２】
そして、扉体１の内部には、扉体１の開放側の側面部に、常時は所定の下降位置に保持され、錠２の解錠操作に連動して上方向にスライド移動するようロック部材であるロックバー３が設けられ、このロックバー３と平行に、常時は所定の下降位置に保持され、錠２の解錠操作に連動してロックバー３とは独立して上方向にスライド移動するようリンク部材であるリンク板４が設けられている。また、扉体１の内面部には、ロックバー３の上端部付近に対応して、ロックバー３の上方向への動作を規制する規制位置とロックバー３の上方向への動作を許容する規制解除位置とに移動可能なよう回動自在に支持され、弾性体であるバネ部材（図示せず）によって規制位置方向に付勢された規制部材５が設けられている。
【００１３】
そして、自動販売機本体側の内側面の上部と下部の２箇所には、自動販売機本体の前方へ突出する態様で、ロック係合部材である鈎形状のロック係合爪６が設けられている。
【００１４】
また、錠２は、扉体１の開放側の端部中央に扉体１の表側から嵌め込まれていて、自動販売機内部側である扉体１の裏側に突出し、その突出部分が、扉体１の裏側に配置され一端が扉体１の裏面に固定された錠カバー７を貫通し、錠カバー７に固定されている。そして、この錠カバー７に固定された錠２の内部側突出部分の錠カバー７を貫通した先端部には、錠２の解錠・施錠操作で回転してロックバー３に係合し、ロックバー３を上下に動作させる錠係合部材８と、リンク板４に係合してリンク板４を支持し、錠２の解錠・施錠操作で回転してリンク板４を上下に動作させるリンク係合部材９とが、自動販売機内部側から錠係合部材８、リンク係合部材９の順となる配置で固定されている。
【００１５】
そして、ロックバー３の上部には、錠２の取り付け位置と略同じ高さ位置に、錠係合部材８を係合させるための矩形形状の錠係合穴１０が設けられている。また、リンク板４の上部には、やはり錠２の取り付け位置と略同じ高さ位置に、リンク係合部材９を係合させるための自動販売機内部側に開放された矩形溝状の切り欠きであるリンク係合穴１２が設けられている。錠係合穴１０とリンク係合穴１２は、ロックバー３およびリンク板４がいずれも下降位置に保持されている状態で、上端部が略同じ高さとされている。
【００１６】
リンク係合部材９は、リンク係合穴１２の開放側端部近傍に係合するよう取り付け位置が設定されている。
【００１７】
また、リンク板４の上部には、規制部材５の上部に係合して、リンク板４の上方向移動で規制部材５を規制解除位置へと回動させ、リンク板４の下方向への移動で規制部材５を規制位置へと回動させる規制係合部１１が設けられている。
【００１８】
また、錠２の内部側突出部分が固定されている錠カバー７は、一端が扉体１の裏面に固定されているが、他端は、通常時にはリンク係合部材９に接しない程度に接近し、破壊行為等で外部から力が加わった時にリンク係合部材９に当接し、リンク係合部材９を押し曲げる押出部１３を形成するように折り曲げられている。そして、例えば、リンク係合部材９の材質を錠カバー７より柔らかい材質にしたり、リンク係合部材９の板厚を錠カバー７の板厚より薄くするなど、押出部１３を含む錠カバー７よりリンク係合部材９の方が剛性が小さくされ、扉体１の外側から工具等で錠２に力が加えられた時に、錠カバー７にも自動販売機内部方向への力が加わって、押出部１３が自販機内部側へ押し出され、押し出された押出部１３がリンク係合部材９を押し曲げるようになっている。リンク係合部材９は、上述のようにリンク係合穴１２の開放側端部近傍に係合するよう取り付け位置が設定されており、錠カバー７の押出部により押し曲げられると、リンク係合穴１２から外れ、リンク板４との係合が解除される。
【００１９】
また、ロックバー３には、ロック係合爪６に対応する上下２箇所に、ロック係合爪６が係合して扉体１を閉状態に固定するロック係合穴１４が設けられている。そして、ロックバー３の上部には、上下２箇所の内の上側のロック係合穴１４よりさらに上側の位置で、ロック係合穴１４にロック係合爪６が係合した状態で、バネ部材（図示せず）によって付勢される方向に回動した規制部材５の下端部に当接し、それにより、ロックバー３の上方への動作が規制されるよう、Ｌ字状に突出する止め部材１５が設けられている。
【００２０】
止め部材１５は、ロックバー３の上方向への動作を規制する規制部材５の規制位置を規定するもので、ロックバー３のロック係合穴１４にロック係合爪６が係合した状態の時に、規制部材５が規制位置に移動して止め部材１５の上部に入り込む。この状態では、仮にロックバー３にみが上方向へ移動しようとしても、規制部材５が止め部材１５に引っ掛かって、それ以上は上方向へ移動できない。
【００２１】
そして、錠係合穴１０に係合する錠係合部材８と、リンク係合穴１２に係合するリンク係合部材９は、リンク係合部材９の上端部が錠係合部材８の上端部よりやや高い位置となるように取り付けられている。
【００２２】
この自動販売機の扉体ロック装置は、扉体１が閉じている状態では、ロックバー３とリンク板４がともに下降位置に保持され、図７に示すようにロックバー３のロック係合穴１４に自動販売機本体側のロック係合爪６が係合し、規制部材５がロックバー３の止め部材１５に引っ掛かる規制位置にあり、扉体１がロックされている。
【００２３】
そして、錠２の解錠操作が行われると、まず、リンク係合部材９がリンク板４のリンク係合穴１２に係合して、図４に示すようにリンク板４が先に上方へ押し上げられ、その際、図６に示すようにリンク板４の規制係合部１１に係合して規制部材５が規制解除位置に移動し、その後、錠係合部材８がロックバー３の錠係合穴１０に係合して、ロックバー３が上方へ押し上げられる。こうして、ロックバー３は規制部材５に規制されずにスムーズに上方へ移動し、ロック係合爪６との係合が解除されて、扉体１が開放可能となる。
【００２４】
また、扉体１の外側から工具等によって錠２の部分に力が加えられると、錠カバー７の押出部１３が自販機内部側へ押し出され、押し出された押出部１３がリンク係合部材９を押し曲げて変形させ、図２および図５に示すように、変形したリンク係合部材９がリンク板４のリンク係合穴１２から外れ、リンク板４とリンク係合部材９の係合が解除される。そして、リンク板４が自重で下方向へ移動し、規制部材５が規制係合部１１から外れ、錠２との連動が解除されて規制位置へ戻り、ロックバー３の動作を規制して、扉体１が閉鎖状態のまま開かなくなるようにする。錠カバー７は、破壊行為等の異常発生時に規制部材５を規制位置に維持した状態で錠２と規制部材５との連動を解除する連動解除手段を構成している。
【００２５】
この自動販売機の扉体ロック装置は、規制部材５と錠２の間にリンク板４とリンク係合部材９とからなるリンク機構を設け、このリンク機構を介し、錠２の操作に連動して規制部材５を動作させる構成としたことにより、錠カバー７を破壊行為等の異常発生時に規制部材５を規制位置に維持した状態で錠２と規制部材５との連動を解除する連動解除手段として、異常発生時に扉体外側から加えられた力によって錠カバー７がリンク係合部材９を押し曲げて、リンク板４との係合を解除するようにでき、簡単な構成で錠２と規制部材５との連動を解除して扉体の施錠を強化できるとともに、錠２と規制部材５との距離をとることができるため、扉体１の錠２あるいはその近傍に破壊行為を加えるにしても、距離のある複数箇所を破壊しなければ扉体１を開放できないようにすることができ、防盗性を高めることができる。
【００２６】
次に、この自動販売機の扉体ロック装置の動作の詳細を説明する。
（扉体開放時の動作）
扉体１を開放する場合には、錠２を解錠方向へ操作する。すると、錠２の解錠操作に連動して、錠２に固定されている錠係合部材８とリンク係合部材９が回転を始め、図４に示すように、まず、リンク係合穴１２に係合していたリンク係合部材９がリンク板４を押し上げる。そして、図６に示すように、押し上げられたリンク板４の規制係合部１１が規制部材５の上端部を押し上げて、規制部材５をロックバー３の止め部材１５上部の規制位置から規制解除位置まで回動させる。これにより、ロックバー３の動作規制が解除される。そして、更に錠係合部材８とリンク係合部材９が回転することにより、錠係合部材８の上端がロックバー３の錠係合穴１０の上端に係合して、ロックバー３を支持し、ロックバー３を上方向に押し上げる。そして、ロックバー３の上方向への移動により、ロック係合穴１４とロック係合爪６の係合が解除され、扉体１の施錠が解除される。これにより扉体１が開放可能となる。
【００２７】
（扉体閉鎖時の動作）
次に、扉体１を閉鎖する場合には、まず、扉体１を閉じ、その後、錠２を施錠方向へ操作する。すると、錠２の施錠操作によって、錠２に固定されている錠係合部材８とリンク係合部材９が回転を始め、錠係合部材８に係合支持されているロックバー３と、リンク係合部材９に係合支持されているリンク板４が自重によって下方向へ移動を始める。そして、まず、図７に示すように、ロックバー３のロック係合穴１４がロック係合爪６に係合してロックバー３が固定される。そして、更に錠係合部材８とリンク係合部材９が回転すると、ロックバー３がロック係合爪６に支持されることで、図３に示すように、錠係合穴１０に係合していた錠係合部材８が錠係合穴１０の上端部から下方へ外れ、リンク部材４も更に下方向へ移動して、リンク部材４の規制係合部１１と規制部材５の上端部との係合が解除される。そして、規制係合部１１に係合することによって規制解除位置に回動してた規制部材５が、バネ部材の付勢力によって止め部材１５の上部の規制位置へと回動し、規制部材５によってロックバー３の上方向の動作が規制され、扉体１が施錠される。これにより扉体１の開放が不可となる。
【００２８】
（異常発生時の動作）
扉体１が外側から工具等によって錠２部分に自販機内部側方向への力が加えられるといった破壊行為等の異常が発生すると、錠２が取り付け固定されている錠カバー７にも自動販売機内部側方向へと力が加わり、図２に示すように錠カバー７が自販機内部側方向へと押し曲がる。それによって、錠カバー７の押出部１３が自販機内部側方向へ押し出され、押し出された押出部１３がリンク係合部材９に当たってリンク係合部材９を押し曲げて変形させる。これにより、変形したリンク係合部材９は、リンク板４のリンク係合穴１２の開放側端部の外方向へ外れてリンク板４のリンク係合穴１２と係合しない位置と移動することとなり、リンク係合部材９に支えられていたリンク板４が自重によって図５に示すように下方向へと移動する。そして、リンク係合穴１２がリンク係合部材９の高さ位置よりも下方に移動してしまうことで、リンク係合部材９とリンク係合穴１２との係合が不可能となり、リンク係合部材９とリンク係合穴１２との係合が解除される。そして、リンク板４が上方向へ移動させることが不可能となるため、リンク板４の上方向の移動で規制部材５を規制位置から規制解除位置へ回動させることが不可能となり、ロックバー３の上方向の動作を完全に規制して、錠２をいくら解錠方向へ操作してもロックバー３が上方向へ移動せず、ロックバー３のロック係合穴１４とロック係合爪５との係合が解除できないようになる。
【００２９】
なお、上記実施の形態では、扉体１の上部にのみ規制部材５を設けているが、扉体１の下部にも同様の構成の規制部材を設けてもよい。このように上下２つの位置に規制部材を設けることで、更に施錠を強固として扉体の防盗性を高めることができる。
【図面の簡単な説明】
【００３０】
【図１】本発明の実施の形態の自動販売機の扉体ロック装置の構成を通常時の状態で示す錠周辺部の平面視断面図である。
【図２】本発明の実施の形態の自動販売機の扉体ロック装置の構成を異常発生時の状態で示す錠周辺部の平面視断面図である。
【図３】本発明の実施の形態の自動販売機の扉体ロック装置のロックバー及びリンク板周辺の構成を施錠時の状態で自動販売機の左側面視にて示す部分拡大図である。
【図４】本発明の実施の形態の自動販売機の扉体ロック装置のロックバー及びリンク板周辺の構成を解錠時の状態で自動販売機の左側面視にて示す部分拡大図である。
【図５】本発明の実施の形態の自動販売機の扉体ロック装置のロックバー及びリンク板周辺の構成を異常発生時の状態で自動販売機の左側面視にて示す部分拡大図である。
【図６】本発明の実施の形態の自動販売機の扉体ロック装置のロック係合部分の構成を解錠時の状態で自動販売機の右側面視にて示す部分拡大図である。
【図７】本発明の実施の形態の自動販売機の扉体ロック装置のロック係合部分の構成を施錠時の状態で自動販売機の右側面視にて示す部分拡大図である。
【符号の説明】
【００３１】
１  扉体
２  錠
３  ロックバー
４  リンク板
５  規制部材
６  ロック係合爪
７  錠カバー
８  錠係合部材
９  リンク係合部材
１０  錠係合穴
１１  規制係合部
１２  リンク係合穴
１３  押出部
１４  ロック係合穴
１５  止め部材
【図１】
0004584802.tif 000002
【図２】
0004584802.tif 000003
【図３】
0004584802.tif 000004
【図４】
0004584802.tif 000005
【図５】
0004584802.tif 000006
【図６】
0004584802.tif 000007
【図７】
0004584802.tif 000008